(57)【要約】【課題】汚泥排出源から排出する濃縮汚泥の汚泥濃度をリアルタイムに測定することができるトルク式汚泥濃度計ユニットを提供する。【解決手段】汚泥排出源から排出する汚泥Ｓが流下する汚泥配管２と、汚泥配管２に連通し、汚泥配管２の汚泥が測定対象汚泥Ｓ１として流れ込む濃度測定部３を備え、濃度測定部３は、測定対象汚泥Ｓ１の汚泥濃度を測定するトルク式汚泥濃度測定部８と、汚泥配管２からトルク式汚泥濃度測定部８に測定対象汚泥Ｓ１を導く汚泥導管６と、汚泥導管６に介装した汚泥供給ポンプ９を有する。【選択図】図１
2020097008.tif 000002
【特許請求の範囲】
【請求項１】
汚泥排出源から排出する汚泥が流下する汚泥配管と、
汚泥配管に連通し、汚泥配管中の汚泥が測定対象汚泥として流れ込む濃度測定部を備え、
濃度測定部は、測定対象汚泥の汚泥濃度を測定するトルク式汚泥濃度測定部と、汚泥配管からトルク式汚泥濃度測定部に測定対象汚泥を導く汚泥導管と、汚泥導管に介装した汚泥供給ポンプを有することを特徴とするトルク式汚泥濃度計ユニット。
【請求項２】
汚泥供給ポンプが定量ポンプからなることを特徴とする請求項１に記載のトルク式汚泥濃度計ユニット。
【請求項３】
濃度測定部は、汚泥配管内に汚泥受け部を有し、汚泥受け部が汚泥配管中を流下する汚泥の一部を汚泥導管に分配することを特徴とする請求項１または２に記載のトルク式汚泥濃度計ユニット。
【請求項４】
汚泥受け部は、汚泥導管から汚泥配管中に突出する突出量を調整可能であることを特徴とする請求項１から３の何れか１項に記載のトルク式汚泥濃度計ユニット。
【請求項５】
濃度測定部は、トルク式汚泥濃度測定部の測定対象汚泥を汚泥配管に戻す汚泥戻り管を有し、汚泥導管が汚泥配管から分岐する分岐点より下流位置の汚泥配管の合流点に汚泥戻り管が接続することを特徴とする請求項１から４の何れか１項に記載のトルク式汚泥濃度計ユニット。
【請求項６】
濃度測定部は、汚泥供給ポンプより上流側の汚泥導管の途中に測定対象汚泥を攪拌する攪拌部を有することを特徴とする請求項１から５の何れか１項に記載のトルク式汚泥濃度計ユニット。
【請求項７】
濃度測定部は、攪拌部の測定対象汚泥を汚泥配管に戻すドレーン管を有することを特徴とする請求項１から６の何れか１項に記載のトルク式汚泥濃度計ユニット。
【請求項８】
汚泥配管は、上流端が汚泥排出源をなす汚泥濃縮装置の濃縮汚泥排出部に接続することを特徴とする請求項１から７の何れか１項に記載のトルク式汚泥濃度計ユニット。
【請求項９】
汚泥配管は、下流端が汚泥貯留槽に接続することを特徴とすることを特徴とする請求項１から８の何れか１項に記載のトルク式汚泥濃度計ユニット。
【請求項１０】
請求項１から９の何れか１項に記載のトルク式汚泥濃度計ユニットと、濃度測定部で測定する測定対象汚泥の汚泥濃度を制御指標として運転条件を制御する制御部を有することを特徴とする汚泥濃縮装置。
【請求項１１】
汚泥濃縮装置から排出する濃縮汚泥を汚泥配管に通し、汚泥配管中を流下する汚泥の一部を測定対象汚泥として、汚泥導管を通してトルク式汚泥濃度測定部へ一定流量で導き、トルク式汚泥濃度測定部で測定対象汚泥の汚泥濃度を測定し、測定した汚泥濃度値を制御指標として制御部により汚泥濃縮装置の運転条件を制御することを特徴とする汚泥濃縮装置の運転制御方法。
【発明の詳細な説明】
【技術分野】
【０００１】
本発明は、汚泥濃度を測定するトルク式汚泥濃度計ユニットに関し、測定した汚泥濃度に基づいてベルト型濃縮装置等の汚泥濃縮装置の運転を制御する技術に係るものである。
【背景技術】
【０００２】
従来、例えば特許文献１に記載するものがある。これは、汚泥を濃縮する汚泥濃縮装置を制御するための汚泥濃度制御装置である。ここでは、汚泥濃縮装置から排出される濃縮汚泥の全てを一旦、濃縮汚泥受槽に貯留し、その後、濃縮汚泥受槽の濃縮汚泥を順次に脱水工程に移送している。
【０００３】
この濃縮汚泥受槽の濃縮汚泥を汚泥サンプリングポンプによって連続的に濃縮汚泥槽にサンプリングし、濃縮汚泥槽において濃縮汚泥の濃度を濃度検出手段で検出し、検出された汚泥濃度が、予め決めた所定の濃度となるように、汚泥濃縮装置の運転を制御する。
【先行技術文献】
【特許文献】
【０００４】
【特許文献１】特許第４８２４５３９号
【発明の概要】
【発明が解決しようとする課題】
【０００５】
特許文献１では、汚泥濃縮装置から排出される濃縮汚泥の全てを一旦、濃縮汚泥受槽に貯留した後にサンプリングを行っている。
【０００６】
このため、サンプリングされる濃縮汚泥は現時点における濃縮汚泥の汚泥濃度を反映しておらず、現時点までに既に排出済みの濃縮汚泥と現時点で排出された濃縮汚泥とが混ざった濃縮汚泥は、濃縮汚泥受槽に滞留する濃縮汚泥の全体の平均値としての汚泥濃度を反映したものである。
【０００７】
よって、濃縮汚泥受槽に滞留する濃縮汚泥をサンプリングし、求めた汚泥濃度に基づいて汚泥濃縮装置の運転を制御する場合には、汚泥濃縮装置の現在の状況に適切に対応するリアルタイムな運転制御を行うことができない。
【０００８】
本発明は上記課題を解決するものであり、汚泥排出源から排出する濃縮汚泥の汚泥濃度をリアルタイムに測定することができるトルク式汚泥濃度計ユニットを提供することを目的とする。
【課題を解決するための手段】
【０００９】
上記課題を解決するために、本発明のトルク式汚泥濃度計ユニットは、汚泥排出源から排出する汚泥が流下する汚泥配管と、汚泥配管に連通し、汚泥配管中の汚泥が測定対象汚泥として流れ込む濃度測定部を備え、濃度測定部は、測定対象汚泥の汚泥濃度を測定するトルク式汚泥濃度測定部と、汚泥配管からトルク式汚泥濃度測定部に測定対象汚泥を導く汚泥導管と、汚泥導管に介装した汚泥供給ポンプを有することを特徴とする。
【００１０】
本発明のトルク式汚泥濃度計ユニットにおいて、汚泥供給ポンプが定量ポンプからなることを特徴とする。
【００１１】
本発明のトルク式汚泥濃度計ユニットにおいて、濃度測定部は、汚泥配管内に汚泥受け部を有し、汚泥受け部が汚泥配管中を流下する汚泥の一部を汚泥導管に分配することを特徴とする。
【００１２】
本発明のトルク式汚泥濃度計ユニットにおいて、汚泥受け部は、汚泥導管から汚泥配管中に突出する突出量を調整可能であることを特徴とする。
【００１３】
本発明のトルク式汚泥濃度計ユニットにおいて、濃度測定部は、トルク式汚泥濃度測定部の測定対象汚泥を汚泥配管に戻す汚泥戻り管を有し、汚泥導管が汚泥配管から分岐する分岐点より下流位置の汚泥配管の合流点に汚泥戻り管が接続することを特徴とする。
【００１４】
本発明のトルク式汚泥濃度計ユニットにおいて、濃度測定部は、汚泥供給ポンプより上流側の汚泥導管の途中に測定対象汚泥を攪拌する攪拌部を有することを特徴とする。
【００１５】
本発明のトルク式汚泥濃度計ユニットにおいて、濃度測定部は、攪拌部の測定対象汚泥を汚泥配管に戻すドレーン管を有することを特徴とする。
【００１６】
本発明のトルク式汚泥濃度計ユニットにおいて、汚泥配管は、上流端が汚泥排出源をなす汚泥濃縮装置の濃縮汚泥排出部に接続することを特徴とする。
【００１７】
本発明のトルク式汚泥濃度計ユニットにおいて、汚泥配管は、下流端が汚泥貯留槽に接続することを特徴とすることを特徴とする。
【００１８】
本発明の汚泥濃縮装置は、上記の何れかのトルク式汚泥濃度計ユニットと、濃度測定部で測定する測定対象汚泥の汚泥濃度を制御指標として運転条件を制御する制御部を有することを特徴とする。
【００１９】
本発明の汚泥濃縮装置の運転制御方法は、汚泥濃縮装置から排出する濃縮汚泥を汚泥配管に通し、汚泥配管中を流下する汚泥の一部を測定対象汚泥として、汚泥導管を通してトルク式汚泥濃度測定部へ一定流量で導き、トルク式汚泥濃度測定部で測定対象汚泥の汚泥濃度を測定し、測定した汚泥濃度値を制御指標として制御部により汚泥濃縮装置の運転条件を制御することを特徴とする。
【発明の効果】
【００２０】
以上の本発明においては、汚泥排出源である汚泥濃縮装置から排出する濃縮汚泥が流下する汚泥配管の途中において、濃縮汚泥を測定対象汚泥としてサンプリングし、汚泥導管を通してトルク式汚泥濃度測定部へ導き、汚泥濃度を測定する。このため、汚泥排出源から排出する濃縮汚泥の汚泥濃度をリアルタイムに、かつ正確に測定することができる。
【図面の簡単な説明】
【００２１】
【図１】本発明の実施の形態におけるトルク式汚泥濃度計ユニットを示す模式図
【図２】本発明の他の実施の形態におけるトルク式汚泥濃度計ユニットを示す模式図
【発明を実施するための形態】
【００２２】
以下、本発明の実施の形態を図面に基づいて説明する。
（実施例１）
本実施の形態に係るトルク式汚泥濃度計ユニット１は、汚泥配管２と汚泥配管２の途中に接続した濃度測定部３を有している。汚泥配管２は、上流端が汚泥排出源をなす汚泥濃縮装置４の濃縮汚泥排出部５に接続している。ここでは、汚泥濃縮装置４がベルト型濃縮機からなる。汚泥配管２は下流端が汚泥貯留槽（図示省略）に接続しており、汚泥濃縮装置４から排出する汚泥Ｓが汚泥貯留槽に向けて自重で流下する。
【００２３】
濃度測定部３は、汚泥配管２の途中の分岐点に接続した汚泥導管６を有し、汚泥導管６を通して汚泥配管２の汚泥Ｓの一部が測定対象汚泥Ｓ１として流れ込む。ここでは、汚泥配管２を上下方向に配置し、汚泥導管６が汚泥配管２の側面に連通している。しかし、汚泥配管２は斜め下方に向けて傾斜する姿勢に配置することも可能であり、傾斜した汚泥配管２の底部側に汚泥導管６を接続することも可能である。
【００２４】
濃度測定部３は、汚泥配管２の内部に汚泥受け部７を有している。汚泥受け部７は汚泥配管２の中を流下する汚泥Ｓの一部を測定対象汚泥Ｓ１として汚泥導管６に分配するものであり、汚泥導管６から汚泥配管２の中に斜め上方へ向けて突出する突出量を調整可能である。
【００２５】
汚泥導管６は、一端が汚泥配管２に連通し、他端がトルク式汚泥濃度測定部８に連通している。汚泥導管６の途中には汚泥供給ポンプ９を介装しており。汚泥供給ポンプ９は、定量ポンプからなる。汚泥導管６は、汚泥供給ポンプ９の吸い込み側に接続した上流側に上下に立ち上がった縦管部６１を有する。縦管部６１は定量ポンプからなる汚泥供給ポンプ９で測定対象汚泥を連続して一定量を送るためのバッファ領域をなし、測定対象汚泥Ｓ１が移動しつつ一時的に滞留する。
【００２６】
トルク式汚泥濃度測定部８は、測定対象汚泥の汚泥濃度を測定するものであり、測定槽８１とトルク検出装置８２を備え、汚泥供給ポンプ９よりも高所に位置している。測定槽８１は一定量の測定対象汚泥Ｓ１を貯留する。トルク検出装置８２は、測定槽８１に貯留する測定対象汚泥Ｓ１の濃度に由来する粘度を負荷トルクとして検出し、検出した負荷トルクから汚泥濃度を算出する。測定槽８１は、潜流堰８３で仕切った上流側に汚泥導管６が連通し、下流側に越流堰８４を有し、潜流堰８３と越流堰８４の間にトルク検出装置８２が配置されている。
【００２７】
濃度測定部３は、トルク式汚泥濃度測定部８の測定対象汚泥Ｓ１を汚泥配管２に戻す汚泥戻り管１０を有している。汚泥戻り管１０は汚泥配管２の分岐点より下流位置の合流点に接続する。
【００２８】
汚泥濃縮装置４は、トルク式汚泥濃度計ユニット１の濃度測定部３で測定する測定対象汚泥Ｓ１の汚泥濃度を制御指標として、凝集剤の添加量、モータの回転数、汚泥の供給量などの運転条件を制御する制御部４１を有する。
【００２９】
なお、汚泥濃縮装置４としては、ベルト型濃縮装置、遠心濃縮装置、スクリュープレス濃縮装置などの種々の汚泥濃縮装置が適用可能である。
【００３０】
以下、上記構成における作用を説明する。汚泥濃縮装置４から排出する濃縮された汚泥Ｓを、汚泥配管２を通して汚泥貯留槽（図示省略）に排出する。汚泥配管２の途中において汚泥受け部７が管内を自重で流下する汚泥Ｓの一部をサンプリングし、測定対象汚泥Ｓ１として汚泥導管６の内部に取り込む。取り込む汚泥量は、汚泥受け部７が汚泥配管２の中に突出する突出量を調整して配分を決定する。汚泥受け部７によって配分した測定対象汚泥Ｓ１は、定量ポンプからなる汚泥供給ポンプ９でトルク式汚泥濃度測定部８に一定量ずつ連続して供給する。
【００３１】
このとき、汚泥配管２から汚泥導管６に流入する測定対象汚泥Ｓ１の量と、汚泥供給ポンプ９でトルク式汚泥濃度測定部８に供給する測定対象汚泥Ｓ１の量との差は、縦管部６１のバッファ領域で吸収し、測定対象汚泥Ｓ１が汚泥供給ポンプ９へ向けて移動しつつ一時的に滞留し、汚泥供給ポンプ９の運転の安定に寄与する。
【００３２】
トルク式汚泥濃度測定部８の測定槽８１に流入した測定対象汚泥Ｓ１は、潜流堰８３と越流堰８４を通り、汚泥戻り管１０を通して汚泥配管２に連続的に戻される。測定槽８１では、一定量の測定対象汚泥Ｓ１が潜流堰８３と越流堰８４の間を連続的に通過し、トルク検出装置８２が測定対象汚泥Ｓ１の汚泥濃度を測定する。
【００３３】
このように、汚泥濃縮装置４から排出する汚泥の一部を連続して濃度測定部３に迂回させつつ濃度測定を行うことで、汚泥濃縮装置４から排出する濃縮した汚泥の汚泥濃度をリアルタイムに測定することができる。汚泥濃度の測定は、汚泥供給ポンプ９の運転を停止する状態で行ってもよく、汚泥供給ポンプ９を連続運転する状態で行ってもよい。
【００３４】
汚泥濃縮装置４の制御部４１は、トルク式汚泥濃度計ユニット１の濃度測定部３で測定する測定対象汚泥Ｓ１の汚泥濃度値を制御指標として運転条件を最適なものに制御する。
（実施例２）
実施例１における汚泥導管６の縦管部６１は、図２に示すように、攪拌部６２とすることも可能である。攪拌部６２には測定対象汚泥Ｓ１を攪拌して塊状の汚泥を解す攪拌装置６３を設けている。また、攪拌部６２には測定対象汚泥Ｓ１を汚泥配管２に戻すドレーン管６４を設けており、ドレーン管６４にドレーンバルブ６５を設けている。
【００３５】
この構成によれば、汚泥配管２から汚泥導管６を通して攪拌部６２に取り込む測定対象汚泥Ｓ１を、ドレーンバルブ６５の開放によりドレーン管６４を通して連続的に汚泥配管２に戻すことも可能であり、必要時にのみドレーンバルブ６５を開放してドレーン管６４を通して汚泥配管２に戻すことも可能である。
【００３６】
そして、攪拌部６２において測定対象汚泥Ｓ１の均質化を図り、均質化した測定対象汚泥Ｓ１を汚泥供給ポンプ９によってトルク式汚泥濃度測定部８に連続して供給することができ、汚泥濃度の測定精度を高めることができる。他の作用効果は実施例１と同様である。
【符号の説明】
【００３７】
１  トルク式汚泥濃度計ユニット
２  汚泥配管
３  濃度測定部
４  汚泥濃縮装置
５  濃縮汚泥排出部
６  汚泥導管
７  汚泥受け部
８  トルク式汚泥濃度測定部
９  汚泥供給ポンプ
１０  汚泥戻り管
４１  制御部
６１  縦管部
８１  測定槽
８２  トルク検出装置
８３  潜流堰
８４  越流堰
Ｓ  汚泥
Ｓ１  測定対象汚泥
６２  攪拌部
６３  攪拌装置
６４  ドレーン管
６５  ドレーンバルブ
【図１】
2020097008.tif 000003
【図２】
2020097008.tif 000004
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
汚泥排出源から排出する汚泥が自重で流下するとともに下流端が汚泥貯留槽に接続する汚泥配管と、
汚泥配管に連通し、汚泥配管中の汚泥の一部が測定対象汚泥として流れ込む濃度測定部を備え、
濃度測定部は、測定対象汚泥の汚泥濃度を測定するトルク式汚泥濃度測定部と、汚泥配管からトルク式汚泥濃度測定部に測定対象汚泥を導く汚泥導管と、汚泥導管に介装した定量ポンプからなる汚泥供給ポンプと、汚泥供給ポンプより上流側の汚泥導管の途中に測定対象汚泥を攪拌する攪拌部を有することを特徴とするトルク式汚泥濃度計ユニット。
【請求項２】
濃度測定部は、汚泥配管内に汚泥受け部を有し、汚泥受け部が汚泥導管から汚泥配管の中に斜め上方へ向けて突出することで汚泥配管中を流下する汚泥の一部を汚泥導管に分配することを特徴とする請求項１に記載のトルク式汚泥濃度計ユニット。
【請求項３】
汚泥受け部は、汚泥導管から汚泥配管中に突出する突出量を調整可能であることを特徴とする請求項２に記載のトルク式汚泥濃度計ユニット。
【請求項４】
濃度測定部は、トルク式汚泥濃度測定部の測定対象汚泥を汚泥配管に戻す汚泥戻り管を有し、汚泥導管が汚泥配管から分岐する分岐点より下流位置の汚泥配管の合流点に汚泥戻り管が接続することを特徴とする請求項１から３の何れか１項に記載のトルク式汚泥濃度計ユニット。
【請求項５】
トルク式汚泥濃度測定部は、汚泥供給ポンプで供給する測定対象汚泥を受ける上部開口の測定槽を有し、汚泥導管が上部開口を通して測定槽に接続することを特徴とする請求項１から４の何れか１項に記載のトルク式汚泥濃度計ユニット。
【請求項６】
トルク式汚泥濃度測定部は、汚泥導管から供給される測定対象汚泥を貯留する測定槽と、測定対象汚泥の汚泥濃度を測定するトルク検出装置と、汚泥導管の下流端とトルク検出装置との間で測定槽内の測定対象汚泥中に投入する潜流堰と、トルク検出装置で汚泥濃度を測定した後の測定対象汚泥を測定槽から排出する越流堰とを有することを特徴とする請求項１から４の何れか１項に記載のトルク式汚泥濃度計ユニット。
【請求項７】
濃度測定部は、攪拌部の測定対象汚泥を汚泥配管に戻すドレーン管を有することを特徴とする請求項１から６の何れか１項に記載のトルク式汚泥濃度計ユニット。
【請求項８】
汚泥配管は、上流端が汚泥排出源をなす汚泥濃縮装置の濃縮汚泥排出部に接続することを特徴とする請求項１から７の何れか１項に記載のトルク式汚泥濃度計ユニット。
【請求項９】
請求項１から９の何れか１項に記載のトルク式汚泥濃度計ユニットと、濃度測定部で測定する測定対象汚泥の汚泥濃度を制御指標として運転条件を制御する制御部を有することを特徴とする汚泥濃縮装置。
【請求項１０】
汚泥濃縮装置から排出する濃縮汚泥を下流端が汚泥貯留槽に接続された汚泥配管に通し、汚泥配管中を自重で流下する汚泥の一部を測定対象汚泥として、汚泥導管を通して測定対象汚泥を攪拌により均質化した後にトルク式汚泥濃度測定部へ一定流量で導き、トルク式汚泥濃度測定部で測定対象汚泥の汚泥濃度を測定し、測定した汚泥濃度値を制御指標として制御部により汚泥濃縮装置の運転条件を制御することを特徴とする汚泥濃縮装置の運転制御方法。
【手続補正２】
【補正対象書類名】明細書
【補正対象項目名】０００９
【補正方法】変更
【補正の内容】
【０００９】
上記課題を解決するために、本発明のトルク式汚泥濃度計ユニットは、汚泥排出源から排出する汚泥が自重で流下するとともに下流端が汚泥貯留槽に接続する汚泥配管と、汚泥配管に連通し、汚泥配管中の汚泥の一部が測定対象汚泥として流れ込む濃度測定部を備え、濃度測定部は、測定対象汚泥の汚泥濃度を測定するトルク式汚泥濃度測定部と、汚泥配管からトルク式汚泥濃度測定部に測定対象汚泥を導く汚泥導管と、汚泥導管に介装した定量ポンプからなる汚泥供給ポンプと、汚泥供給ポンプより上流側の汚泥導管の途中に測定対象汚泥を攪拌する攪拌部を有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明のトルク式汚泥濃度計ユニットにおいて、濃度測定部は、汚泥配管内に汚泥受け部を有し、汚泥受け部が汚泥導管から汚泥配管の中に斜め上方へ向けて突出することで汚泥配管中を流下する汚泥の一部を汚泥導管に分配することを特徴とする。
【手続補正５】
【補正対象書類名】明細書
【補正対象項目名】００１４
【補正方法】変更
【補正の内容】
【００１４】
本発明のトルク式汚泥濃度計ユニットにおいて、トルク式汚泥濃度測定部は、汚泥供給ポンプで供給する測定対象汚泥を受ける上部開口の測定槽を有し、汚泥導管が上部開口を通して測定槽に接続することを特徴とする。
本発明のトルク式汚泥濃度計ユニットにおいて、トルク式汚泥濃度測定部は、汚泥導管から供給される測定対象汚泥を貯留する測定槽と、測定対象汚泥の汚泥濃度を測定するトルク検出装置と、汚泥導管の下流端とトルク検出装置との間で測定槽内の測定対象汚泥中に投入する潜流堰と、トルク検出装置で汚泥濃度を測定した後の測定対象汚泥を測定槽から排出する越流堰とを有することを特徴とする。
【手続補正６】
【補正対象書類名】明細書
【補正対象項目名】００１７
【補正方法】削除
【補正の内容】
【手続補正７】
【補正対象書類名】明細書
【補正対象項目名】００１９
【補正方法】変更
【補正の内容】
【００１９】
本発明の汚泥濃縮装置の運転制御方法は、汚泥濃縮装置から排出する濃縮汚泥を下流端が汚泥貯留槽に接続された汚泥配管に通し、汚泥配管中を自重で流下する汚泥の一部を測定対象汚泥として、汚泥導管を通して測定対象汚泥を攪拌により均質化した後にトルク式汚泥濃度測定部へ一定流量で導き、トルク式汚泥濃度測定部で測定対象汚泥の汚泥濃度を測定し、測定した汚泥濃度値を制御指標として制御部により汚泥濃縮装置の運転条件を制御することを特徴とする。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
汚泥排出源から排出する汚泥が自重で流下するとともに下流端が汚泥貯留槽に接続する汚泥配管と、
汚泥配管に連通し、汚泥配管中の汚泥の一部が測定対象汚泥として流れ込む濃度測定部を備え、
濃度測定部は、測定対象汚泥の汚泥濃度を測定するトルク式汚泥濃度測定部と、汚泥配管からトルク式汚泥濃度測定部に測定対象汚泥を導く汚泥導管と、汚泥導管に介装した定量ポンプからなる汚泥供給ポンプと、汚泥供給ポンプより上流側の汚泥導管の途中に測定対象汚泥を攪拌する攪拌部を有することを特徴とするトルク式汚泥濃度計ユニット。
【請求項２】
濃度測定部は、汚泥配管内に汚泥受け部を有し、汚泥受け部が汚泥導管から汚泥配管の中に斜め上方へ向けて突出することで汚泥配管中を流下する汚泥の一部を汚泥導管に分配することを特徴とする請求項１に記載のトルク式汚泥濃度計ユニット。
【請求項３】
汚泥受け部は、汚泥導管から汚泥配管中に突出する突出量を調整可能であることを特徴とする請求項２に記載のトルク式汚泥濃度計ユニット。
【請求項４】
濃度測定部は、トルク式汚泥濃度測定部の測定対象汚泥を汚泥配管に戻す汚泥戻り管を有し、汚泥導管が汚泥配管から分岐する分岐点より下流位置の汚泥配管の合流点に汚泥戻り管が接続することを特徴とする請求項１から３の何れか１項に記載のトルク式汚泥濃度計ユニット。
【請求項５】
トルク式汚泥濃度測定部は、汚泥供給ポンプで供給する測定対象汚泥を受ける上部開口の測定槽を有し、汚泥導管が上部開口を通して測定槽に接続することを特徴とする請求項１から４の何れか１項に記載のトルク式汚泥濃度計ユニット。
【請求項６】
トルク式汚泥濃度測定部は、汚泥導管から供給される測定対象汚泥を貯留する測定槽と、測定対象汚泥の汚泥濃度を測定するトルク検出装置と、汚泥導管の下流端とトルク検出装置との間で測定槽内の測定対象汚泥中に投入する潜流堰と、トルク検出装置で汚泥濃度を測定した後の測定対象汚泥を測定槽から排出する越流堰とを有することを特徴とする請求項１から４の何れか１項に記載のトルク式汚泥濃度計ユニット。
【請求項７】
濃度測定部は、攪拌部の測定対象汚泥を汚泥配管に戻すドレーン管を有することを特徴とする請求項１から６の何れか１項に記載のトルク式汚泥濃度計ユニット。
【請求項８】
汚泥配管は、上流端が汚泥排出源をなす汚泥濃縮装置の濃縮汚泥排出部に接続することを特徴とする請求項１から７の何れか１項に記載のトルク式汚泥濃度計ユニット。
【請求項９】
請求項１から８の何れか１項に記載のトルク式汚泥濃度計ユニットと、濃度測定部で測定する測定対象汚泥の汚泥濃度を制御指標として運転条件を制御する制御部を有することを特徴とする汚泥濃縮装置。
【請求項１０】
汚泥濃縮装置から排出する濃縮汚泥を下流端が汚泥貯留槽に接続された汚泥配管に通し、汚泥配管中を自重で流下する汚泥の一部を測定対象汚泥として、汚泥導管を通して測定対象汚泥を攪拌により均質化した後にトルク式汚泥濃度測定部へ一定流量で導き、トルク式汚泥濃度測定部で測定対象汚泥の汚泥濃度を測定し、測定した汚泥濃度値を制御指標として制御部により汚泥濃縮装置の運転条件を制御することを特徴とする汚泥濃縮装置の運転制御方法。